(57)【要約】【課題】ノイズレスデザインの実現が容易となると共に、戸体を開くための操作が簡単となる建具を提供する。【解決手段】戸体３が閉じた状態において戸体３をロックする複数のロック機構部６、７と、戸体をラッチするラッチ機構部８を備える。複数のロック機構部６、７どうしの間にデッドボルトを動かす力を伝達する伝達機構９を備える。ラッチ機構部は、ラッチボルト及びラッチボルトを挿入するラッチストライク３１を有する。ラッチストライク３１は、ラッチボルト保持用の受け部材３１ｃを有する。戸体を開けようとする人の力を受けてラッチボルト３０が受け部材３１ｃを押した際に、受け部材３１ｃが変位してラッチボルト３０の保持が解除される。【選択図】図２
2020012261.tif 000002
【特許請求の範囲】
【請求項１】
建物の開口部に設けられる枠体と、
前記枠体に対して開閉可能に取り付けられる戸体と、を備える建具であって、
前記戸体が閉じた状態において戸体をロックする複数のロック機構部と、
戸体が閉じた状態で戸体をラッチするラッチ機構部と、
前記複数のロック機構部の間に設けられ、複数のロック機構部の各デッドボルトを動かす力を伝達する伝達機構とを備え、
前記ロック機構部は、デッドボルト及び前記デッドボルトを挿入するデッドストライクを有し、
前記ラッチ機構部は、ラッチボルト及び前記ラッチボルトを挿入するラッチストライクを有し、
前記ラッチストライクは、前記ラッチボルト保持用の受け部材を有し、
前記受け部材は、前記ラッチボルトから受ける力によって変位可能に前記ラッチストライクに取り付けられ、
戸体を開けようとする人の力を受けて前記ラッチボルトが前記受け部材を押した際に、前記受け部材が変位して前記ラッチボルトの保持が解除される、建具。
【請求項２】
前記ロック機構部の前記デッドボルトと前記ラッチ機構部の前記ラッチボルトを動かす力を伝達させるための伝達機構を更に備え、
前記ラッチボルト及び前記デッドボルトを操作するための共通の操作部を備えた、請求項１に記載の建具。
【請求項３】
前記操作部は、鍵又はサムターンが操作されることにより動作するサムターン機構に設けられ、
前記操作部は、そのサムターン機構が操作されるための位置として、第１の操作位置、第２の操作位置及び第３の操作位置を有し、
前記第１の操作位置は、前記ラッチ機構部の前記ラッチボルトが前記ラッチストライクに係止状態で、かつ前記ロック機構部の前記デッドボルトが前記デッドストライクに係止状態となる位置であり、
前記第２の操作位置は前記ラッチ機構部の前記ラッチボルトが前記ラッチストライクに係止状態で、かつ前記ロック機構部の前記デッドボルトが前記デッドストライクに非係止状態となる位置であり、
前記第３の操作位置は前記ラッチ機構部の前記ラッチボルトが前記ラッチストライクに非係止状態で、かつ前記ロック機構部の前記デッドボルトが前記デッドストライクに非係止状態となる位置である、請求項２に記載の建具。
【請求項４】
前記ロック機構部の前記デッドストライクと、前記ラッチ機構部の前記ラッチストライクとが前記戸体の戸先側に設けられ、
前記ロック機構部の前記デッドボルトを収容するためのデッド錠ケースと、前記ラッチ機構部の前記ラッチボルトを収容するラッチ錠ケースとが前記枠体の縦枠に設けられる、請求項１から請求項３のいずれかに記載の建具。
【請求項５】
前記建具は、前記枠体に固定された袖を更に備え、
前記ロック機構部の前記デッドストライクと、前記ラッチ機構部の前記ラッチストライクとが前記戸体の戸先側に設けられ、
前記ロック機構部の前記デッドボルトを収容するためのデッド錠ケースと、前記ラッチ機構部の前記ラッチボルトを収容するラッチ錠ケースとが前記袖に設けられる、請求項１から請求項３のいずれかに記載の建具。
【請求項６】
前記操作部に代えて、又は前記操作部に加えて、前記伝達機構を動かす電動モータを備えた、請求項２から５までのいずれかに記載の建具。
【発明の詳細な説明】
【技術分野】
【０００１】
本発明は、建物の開口部に設置されるドア等の建具に係わり、特に戸体を枠体に固定するロック機構部およびラッチ機構部を有する建具に関する。
【背景技術】
【０００２】
従来の建具として、特許文献１に記載のように、錠からなるロック機構部と、ラッチ機構部とを備え、戸体にラッチを収容するラッチ錠ケースと、そのラッチ錠ケースに取付けるハンドルを有するドアがある。このドアにおいては、ハンドルが操作されることによって、ラッチ機構部の係止が解除される。しかしこの特許文献１に記載のドアでは、操作のためのハンドルとラッチボルトとが連動してラッチが解除される構成であるため、ハンドルとラッチ錠ケースを近くに配置しなければならないというレイアウト上の制約が生じていた。
【０００３】
そこで特許文献２に記載のドアでは、ハンドルとは別にラッチ解除のため操作レバーを設けた。この特許文献２に記載のドアが施錠状態から開かれる際には、ロック機構部のロック解錠された後、ラッチ解除のため操作レバーが操作されてラッチが解除され、ドアが開くことができる状態になる。これによりラッチ機構部とドアのハンドルは近くに配置しなくてはならないという制約が生じず、デザインの自由度が向上した。
【先行技術文献】
【特許文献】
【０００４】
【特許文献１】特開２００３−３２８６１９号公報
【特許文献１】特開２０１７−１８００２７号公報
【発明の概要】
【発明が解決しようとする課題】
【０００５】
しかし、上述の特許文献２に記載のドアは、操作レバーがデザイン上のノイズとなることを防止して、ノイズレスデザインとするために、外部から見えないようにするカバーを設けなくてはならなかった。また、ドア（戸体）を施錠状態から開ける場合には、ロック（施錠）解除操作と、操作レバーによるラッチ解除操作と、ドアを押す又は引く操作という３段階の操作が必要であり、施錠状態からドアを開くまでの操作回数が多かった。
【０００６】
本発明は、上記問題点に鑑み、ハンドルの位置の制約がなくノイズレスデザインの実現が容易であり、戸体を開くための操作数が少ない建具を提供することを目的とする。
【課題を解決するための手段】
【０００７】
本発明の建具は、建物の開口部に設けられる枠体と、前記枠体に対して開閉可能に取り付けられる戸体と、を備える建具であって、前記戸体が閉じた状態において戸体をロックする複数のロック機構部と、戸体が閉じた状態で戸体をラッチするラッチ機構部と、前記複数のロック機構部の間に設けられ、複数のロック機構部の各デッドボルトを動かす力を伝達する伝達機構とを備え、前記ロック機構部は、デッドボルト及び前記デッドボルトを挿入するデッドストライクを有し、前記ラッチ機構部は、ラッチボルト及び前記ラッチボルトを挿入するラッチストライクを有し、前記ラッチストライクは、前記ラッチボルト保持用の受け部材を有し、前記受け部材は、前記ラッチボルトから受ける力によって変位可能に前記ラッチストライクに取り付けられ、戸体を開けようとする人の力を受けて前記ラッチボルトが前記受け部材を押した際に、前記受け部材が変位して前記ラッチボルトの保持が解除されるものである。本発明において、戸体をラッチするとは、ラッチ機構部において、ラッチボルトがラッチストライクに係止されることを意味する。戸体をロックするとは、ロック機構部において、デッドボルトがデッドストライクに係止されることによって建具が施錠されることを意味する。なお、建具においては、枠体に固定された袖を設けてもよい。
【０００８】
このように、本発明の建具は、ラッチストライクは、ラッチボルト保持用の受け部材を有し、受け部材は、ラッチボルトから受ける力によって変位可能にラッチストライクに取り付けられ、戸体を開けようとする人の力がラッチボルトを介して受け部材を作用した際に、受け部材が変位してラッチボルトの保持が解除されるものである。このため、戸体のロック状態から戸体を開く際には、ロック解除を行なう操作と、戸体を押す又は引く操作という２段階操作で済み、開き操作が簡単となる。また、ラッチ解除のためのハンドル及び操作レバー等が不要となるので、戸体のデザインの自由度が上がり、ノイズレスデザインの実現が容易となる。また、人が手によって持つハンドル等の部品又は部分を戸体に設ける場合であっても、ラッチ錠ケース位置によって制約されずに配置できるため、様々な位置及び形状の部品又は部分を設けることが可能となり、戸体のデザインの自由度を向上させることができる。
【０００９】
上述した本発明において、前記ロック機構部の前記デッドボルトと前記ラッチ機構部の前記ラッチボルトを動かす力を伝達させるための伝達機構を更に備え、前記ラッチボルト及び前記デッドボルトを操作するための共通の操作部を備えることが好ましい。この態様によれば、１つの操作力でデッドボルト及びラッチボルトを操作することができ、操作が容易となる。
【００１０】
上述した本発明において、前記操作部は、鍵又はサムターンが操作されることにより動作するサムターン機構に設けられ、前記操作部は、そのサムターン機構が操作されるための位置として、第１の操作位置、第２の操作位置及び第３の操作位置を有し、前記第１の操作位置は、前記ラッチ機構部の前記ラッチボルトが前記ラッチストライクに係止状態で、かつ前記ロック機構部の前記デッドボルトが前記デッドストライクに係止状態となる位置であり、前記第２の操作位置は前記ラッチ機構部の前記ラッチボルトが前記ラッチストライクに係止状態で、かつ前記ロック機構部の前記デッドボルトが前記デッドストライクに非係止状態となる位置であり、前記第３の操作位置は前記ラッチ機構部の前記ラッチボルトが前記ラッチストライクに非係止状態で、かつ前記ロック機構部の前記デッドボルトが前記デッドストライクに非係止状態となる位置であることが好ましい。この態様によれば、サムターンの操作位置として、第３の操作位置を設けたことによって、前記受け部材が不具合によって変位しなくなった場合であっても、ラッチボルトがラッチストライクに非係止となることができるため、係止を解除することができ、建具が開けられる状態にすることができる。
【００１１】
上述した本発明において、前記ロック機構部の前記デッドストライクと、前記ラッチ機構部の前記ラッチストライクとが前記戸体の戸先側に設けられ、前記ロック機構部の前記デッドボルトを収容するためのデッド錠ケースと、前記ラッチ機構部の前記ラッチボルトを収容するラッチ錠ケースとが前記枠体の縦枠に設けられることが好ましい。この態様によれば、係止及び非係止状態を切り替える動作のために電動モータを使用する場合に、戸体に電気配線が不要となるため、部品点数が抑えられ、製造コストを抑えることができる。また、電動モータを使用する場合であっても、戸体には電動モータを設けないため、電動モータを備える建具と電動モータを備えない建具との間で、戸体のパーツの共用が可能となり、製造コストを抑えることが可能になる。
【００１２】
上述した本発明において、前記建具は、前記枠体に固定された袖を更に備え、前記ロック機構部の前記デッドストライクと、前記ラッチ機構部の前記ラッチストライクとが前記戸体の戸先側に設けられ、前記ロック機構部の前記デッドボルトを収容するためのデッド錠ケースと、前記ラッチ機構部の前記ラッチボルトを収容するラッチ錠ケースとが前記袖に設けられることが好ましい。この態様によれば、ロック状態と非ロック状態を切り替える動作のために電動モータを使用する場合に、戸体に電気配線を設けることが不要となるため、部品点数が抑えられ、製造コストを抑えることができる。また、電動モータを使用する場合であっても、戸体には電動モータを設けないため、電動モータを備える建具と電動モータを備えない建具の間で戸体のパーツの共用が可能となり、製造コストを抑えることが可能になる。更に建具をバージョンアップやグレードアップする場合に、枠を交換せずに、袖及び戸体だけを交換することが可能になるため、それらの導入コストを抑えることが可能になる。
【００１３】
上述した本発明において、前記操作部に代えて、又は前記操作部に加えて、前記伝達機構を動かす電動モータを備えることが好ましい。この態様によれば、１箇所のモータで複数のロック機構を動かすことができ、部品点数を省略することができるとともに、複数の電動モータを用いるよりも配線を簡素化し、製造時の工数を減らすことができる。
【図面の簡単な説明】
【００１４】
【図１】本発明の第１の実施形態の建具を室外側から見た正面図である。
【図２】本実施形態のロック機構部及びラッチ機構部を示す正面図である。
【図３】（Ａ）は本実施形態のデッドボルト及びラッチボルトの取り付け構造を示す正面図、（Ｂ）は（Ａ）の左側面図である。
【図４】（Ａ）は本実施形態のデッドストライク及びラッチストライクの取り付け構造を示す正面図、（Ｂ）は（Ａ）の右側面図である。
【図５】本実施形態のラッチ機構部を示す正面図である。
【図６】本実施形態における上下のロック機構部及びラッチ機構部の伝達機構を示す図である。
【図７】（Ａ）は本実施形態の上ロック機構部を示す正面図、（Ｂ）は（Ａ）の左側面図である。
【図８】本実施形態の上ロック機構部を拡大して示す側面図である。
【図９】（Ａ）は本実施形態の上ロック機構部のロッド錠ケースを示す正面図、（Ｂ）は上ロック機構部のデッドボルトを示す正面図、（Ｃ）は上ロック機構部のデッドボルトに接続される第２の伝達部材の上部を示す正面図、（Ｄ）は上ロック機構部のデッドボルトと第２の伝達部材とを接続するピンを示す正面図、（Ｅ）はそのピンの側面図である。
【図１０】（Ａ）は本実施形態の下ロック機構部を示す正面図、（Ｂ）は（Ａ）の左側面図である。
【図１１】本実施形態のラッチストライクをラッチボルト係止状態で示す横断面図である。
【図１２】（Ａ）は本実施形態のラッチストライクとラッチボルトとの係止構造を示す横断面図、（Ｂ）はこの係止構造において、戸体を閉じる際におけるラッチストライクとラッチボルトとの動きを示す横断面図、（Ｃ）及び（Ｄ）はこの係止構造において、戸体を開く際におけるラッチストライクとラッチボルトとの動きを示す横断面図である。
【図１３】本実施形態のシリンダユニットのセンター軸操作用の鍵孔の操作位置を示す図である。
【図１４】本実施形態において、デッドボルトとラッチボルトの係止状態を示すもので、（Ａ）はラッチ機構部のラッチボルトが係止状態でありかつロック機構部が係止状態となる第１の位置であり、（Ｂ）はラッチ機構部のラッチボルトが係止状態であり、かつロック機構部のデッドボルトが非係止状態となる第２の位置であり、（Ｃ）はラッチ機構部のラッチボルト及びロック機構部のデッドボルトが共に非係止状態となる第３の位置である。
【図１５】本発明の建具の第２の実施形態を示す正面図である。
【図１６】（Ａ）は本発明の建具の第３の実施形態を示す構成図、（Ｂ）は（Ａ）の一部を示す構成図である。
【発明を実施するための形態】
【００１５】
＜第１の実施形態＞
図１は本発明の建具の第１の実施形態を示す。本実施形態の建具１は、一般住宅やビル等の建物の開口部に設置されるドアについて示す。すなわち、枠体２にドア本体である戸体３が開閉可能に取り付けられる。枠体２は、吊元側縦枠２ａと戸先側縦枠２ｂと、これらの縦枠２ａ、２ｂの間に不図示のねじ等により固定して設けられた上枠２ｃと下枠２ｄとからなる。枠体２の戸先側縦枠２ｂ側には、縦枠２ｂ、上枠２ｃ及び下枠２ｄに固定して袖４が、不図示のねじ等により固定して設けられる。
【００１６】
戸体３は、吊元側縦枠２ａ側に蝶番５あるいは枢着軸を中心として回動可能に、すなわち枠体２と袖４とで囲まれた領域を開閉するように開閉可能に取付けられる。本実施形態においては、戸体３は、室外側に開放される外開き式のものについて説明するが、本発明は室内側に開く内開き式のものにも適用可能なものである。
【００１７】
枠体２を構成する縦枠２ａ、縦枠２ｂ、上枠２ｃ及び下枠２ｄには、例えば金属合金製の押出形材や鋼板の折曲げ成形材等を用いることができる。また、戸体３には、左右の縦芯材３ａ及び３ｂと上下の横芯材３ｃ及び３ｄとを備え、これらの芯材３ａ〜３ｄの室内側、室外側に表面材３ｅを固定し、芯材３ａ〜３ｄ及び室内側、室外側表面材３ｅに囲まれた領域内に断熱材３ｆを設けたものを用いることができる。また、戸体３を構成する芯材３ａ〜３ｄには、金属製あるいは樹脂製の押出形材や折曲げ成形材等を用いることができる。袖４にも戸体３と同様の材料でなる縦芯材４ａ及び４ｂと横芯材４ｃ及び４ｄで組み、表裏面に表面材４ｅを設けた領域内に、断熱材４ｆを組み込んだものなどで構成することができる。しかしながら、本発明においては、枠体２、戸体３及び袖４は上述の材料、構造のものに限定されない。
【００１８】
図１に示すように、戸体３の戸先側を袖４、すなわち枠体２側に固定するため、上下に間隔を有して２箇所にロック機構部６及び７を設けている。また、上下のロック機構部６と７の間に、ラッチ機構部８を設けている。図２に示すように、上側のロック機構部６は、袖４に取り付けたデッドボルト１０と、戸体３側に取り付けたデッドストライク１１とを備える。デッドストライク１１は開口部１１ａ（図４（Ａ）参照）を有する箱状をなし、デッドボルト１０が開口部１１ａに挿入、離脱されることにより、ロック（施錠）とロック解除（解錠）がなされるものである。
【００１９】
下側のロック機構部７も同様に、袖４に取り付けたデッドボルト２０と、戸体３側に取り付けたデッドストライク２１とを備える。デッドストライク２１は片面に開口部２１ａ（図４（Ａ）参照）を有する箱状をなし、デッドボルト２０が開口部２１ａに挿入、離脱されることにより、ロック（施錠）とロック解除（解錠）がなされるものである。
【００２０】
ラッチ機構部８は、袖４に取り付けたラッチボルト３０と、戸体３側に取り付けたラッチストライク３１とを備える。このラッチストライク３１の構造については、図１２を参照して後述する。
【００２１】
図３（Ａ）及び（Ｂ）に示すように、デッドボルト１０及び２０はそれぞれデッド錠ケース１２及び２２に収容される。また、ラッチボルト３０は、ラッチ錠ケース３２に収容される。デッド錠ケース１２及び２２は、デッド錠ケース１２及び２２並びにラッチ錠ケース３２に共通の取付板４０に、ねじ等の固定具４１により固定される。共通の取付板４０は、袖４を構成する芯材４ａに、ねじ等の固定具４２により固定される。
【００２２】
図４（Ａ）及び（Ｂ）に示すように、デッドストライク１１及び２１並びにラッチストライク３１は、これらに共通の取付板４４と共に、ねじ等の固定具４５により、戸体３の袖４側芯材３ｂに固定される。
【００２３】
図５に示すように、ラッチ錠ケース３２には、シリンダユニット５０のシリンダ本体５１が不図示のねじ等により固定される。シリンダ本体５１の中心部には、鍵５３（図３（Ｂ）参照）を挿入可能な鍵孔５１ａを有し、鍵５３により回転可能なセンター軸５４が収容されている。センター軸５４には、デッドボルト１０及び２０を同時に駆動するためのピニオン５５が、センター軸５４と同心に取り付けられている。図３（Ｂ）に示すように、シリンダユニット５０の室内側に、センター軸５４を回動させて施錠、解錠するためのサムターン５７が取り付けられる。
【００２４】
図５に示すように、ラッチ錠ケース３２には、ラッチボルト３０が、ラッチ錠ケース３２から戸体３側に向けて突没可能に収容される。ラッチ錠ケース３２に設けたスプリング受け３６とラッチボルト３０との間に、ラッチボルト３０を押し出す方向の力を加える押圧スプリング３７が設けられる。
【００２５】
図５に示すように、センター軸５４には、ラッチボルト３０を操作するためのレバー５８が取り付けられている。このレバー５８は、その先端部がラッチボルト３０に設けた凹部３０ａ内に位置し、鍵５３やサムターン５７によりセンター軸５４を図５の時計回り方向に回すことにより、ラッチボルト３０を袖４内に没入させることができる。すなわち、鍵５３やサムターン５７の操作により、レバー５８がラッチボルト３０の凹部３０ａの図５における右側端部に当接してラッチボルト３０が押され、ラッチボルト３０が押圧スプリング３７のばね力に抗して袖４内に没入するように構成されている。
【００２６】
図６に示すように、ピニオン５５には、第１の伝達部材１４及び２４の各歯列１４ａ及び２４ａがピニオン５５の外周の歯列と噛み合うように組み合わされる。第１の伝達部材１４及び２４には、それぞれ連結ピン１５及び２５により、第２の伝達部材１６及び２６が連結される。これらの第１の伝達部材１４及び２４、並びに第２の伝達部材１６及び２６は、ピニオン５５と共に、センター軸５４を回動させる力をデッドボルト１０及び２０へ伝達する伝達部材であり、これらの伝達部材により伝達機構を構成する。第２の伝達部材１６の上端部と第２の伝達部材２６の下端部には、第２の伝達部材１６及び２６の力をそれぞれデッドボルト１０及び２０に力を伝達するピン６０及び６１（図７（Ａ）及び図１０（Ａ）参照）を挿入する長孔１６ａ及び２６ａが設けられている。
【００２７】
図７（Ａ）及び図７（Ｂ）並びに図８に示すように、デッド錠ケース１２は、片面が開口された矩形の箱状をなすケース本体１２ａと、そのケース本体１２ａの開口面にねじ１２ｂにより固定される蓋板１２ｃを備える。デッドボルト１０を回動可能に支持する軸１７が、デッド錠ケース１２の底板１２ｄと蓋板１２ｃとに両端を固定して取り付けられる。デッドボルト１０はデッド錠ケース１２および取付板４０に設けた開口部６２を通して突没可能である。
【００２８】
図９（Ｂ）に示すように、デッドボルト１０は第２の伝達部材１６の力をピン６０を介して受けるための溝１０ａを有している。図９（Ｄ）及び（Ｅ）に示すように、ピン６０は、その両端部６０ａの外径が中央側の部分６０ｂの外径より小さく形成されている。ピン６０の中央側の部分６０ｂの外径は第２の伝達部材１６の長孔１６ａの幅や、デッドボルト１０の溝１０ａの幅よりやや小さく形成されている。また、図８及び図９（Ａ）に示すように、デッド錠ケース１２の底板１２ｄと蓋板１２ｃには、ピン６０を移動可能に案内するためのガイド溝１２ｅが設けられている。これらのガイド溝１２ｅの幅はピン６０の両端部６０ａの外径よりやや大きく、ピン６０の中央側の部分６０ｂより狭く形成されている。
【００２９】
このため、ピン６０は、その中央側の部分６０ｂがデッドボルト１０の溝１０ａや第２の伝達部材１６の長孔１６ａに移動可能に嵌め込まれる。また、ピン６０の両端部６０ａは、デッド錠ケース１２の底板１２ｄ及び蓋板１２ｃのガイド溝１２ｅに移動可能に嵌め込まれてピン６０が取り付けられる。
【００３０】
図７（Ａ）に示すように、デッド錠ケース１２のケース本体１２ａ内に設けたスプリング受け１２ｆと、デッドボルト１０に設けたスプリング受け１０ｂとの間に、スプリング１２ｇが取り付けられている。このスプリング１２ｇは、デッドボルト１０が袖４から突出したロック位置と、デッドボルトが袖４内に没入したロック解除位置とにおいて、デッドボルト１０をそれぞれ安定して保持するものである。
【００３１】
図１０（Ａ）及び（Ｂ）に示すように、下側のロック機構部７は、上側のロック機構部６と上下対象形に構成される。すなわち、デッドボルト２０を収容するデッド錠ケース２２は、底板２２ｄを有する片面開口のケース本体２２ａと、ケース本体２２ａの開口面を塞ぐように、ねじ等の固定具２２ｂにより取り付けられた蓋板２２ｃとからなる。デッドボルト２０は、デッドボルト１０と上下逆向きにして、ケース本体２２ａに設けた軸２７を中心として、回動可能に取り付けられる。
【００３２】
第２の伝達部材２６とデッドボルト２０とは、第２の伝達部材２６の下端部の長孔２６ａと、デッドボルト２０の溝２０ａに挿入されたピン６１により連結される。ピン６１の両端の小径部は、ケース本体２２ａの底板２２ｄおよび蓋板２２ｃに設けられたガイド溝２２ｅに移動可能に嵌めこまれる。デッドボルト２０は、ケース本体２２ａおよび取付板４０に設けた開口部６３を通してケース本体２２ａに対して突没可能に取り付けられる。ケース本体２２ａ内に設けたスプリング受け２２ｆと、デッドボルト２０に設けたスプリング受け２０ｂとの間に、スプリング２２ｇが取り付けられる。このスプリング２２ｇは、デッドボルト２０が、袖４から突出したロック位置と、袖４内に没入したロック解除位置とにおいて、デッドボルト２０をそれぞれ安定して保持するものである。
【００３３】
本実施形態の戸体３の操作及び動作について説明する。戸体３が閉じ、かつ施錠状態にある場合、図３（Ａ）、図５及び図６に示すように、第２の伝達部材１６は最下位置、第２の伝達部材２６は最上位置にある。この時、ロック機構部６及び７のデッドボルト１０及び２０が袖４から突出し、戸体３のデッドストライク１１及び２１内の納まった施錠状態にある。また、ラッチボルト３０がストライク３１における受け部材としてのストライク本体３１ｃに係止されたラッチ状態にある。
【００３４】
図３（Ａ）、図５及び図６の状態から、鍵５３またはサムターン５７を矢印７５方向、すなわち時計方向に回わすと、ピニオン５５と第１の伝達部材１４及び２４の各歯列１４ａ及び２４ａとの噛合により、第２の伝達部材１６は矢印７６に示すように上昇し、第２の伝達部材２６は矢印７７に示すように下降する。第２の伝達部材１６はピン６０によりデッドボルト１０と接続しているので、第２の伝達部材１６の上昇により、デッドボルト１０は矢印７８に示すように回動し、デッドストライク１１から離脱する。同時に、第２の伝達部材２６の下降により、デッドボルト２０は矢印７９に示すように回動し、デッドストライク２１から離脱する。このため、デッドボルト１０及び２０によるロックが解かれ、解錠される。また、センター軸５４の回動によりレバー５８も矢印７５の方向に回動し、ラッチボルト３０を矢印８０に示す方向に移動させる。これによりラッチボルト３０による施錠も解かれて解錠される。
【００３５】
室外側から施錠する際には、戸体３が解錠された状態から、上述と逆の操作及び動作がなされることにより、施錠がなされる。また、室内側からロック機構部６及び７の施錠及び解錠は、サムターン５７を回すことによって行なうことができる。
【００３６】
図１１に示すように、ラッチストライク３１は、ラッチボルト３０側に開口部３１ｆを設けたストライクケース３１ａを有する。ストライクケース３１ａ内に、縦軸３１ｂを中心に、ストライク本体３１ｃが水平回動可能に取り付けられる。このストライク本体３１ｃは、ラッチボルト３０を係止状態において保持する受け部材としての役目を果たすものである。このストライク本体３１ｃは水平断面形状が鈎状をなしており、ストライク本体３１ｃはストライクケース３１ａの開口部３１ｆから突没可能である。ストライク本体３１ｃは、ラッチボルト３０を係止する縦の平面からなる係止面３１ｇと、係止面３１ｇの反対側に形成された弧状面３１ｈとを有する。ストライク本体３１ｃは、軸３１ｂに巻かれたスプリング３１ｄにより、ストライク本体３１ｃがラッチボルト３０を係止可能な位置に回動する力を受ける。ストライク本体３１ｃの係止側への回動範囲は、ストライクケース３１ａに設けたストッパ３１ｅにより制限される。
【００３７】
図１２（Ａ）に示すように、戸体３が閉じた状態においては、ラッチボルト３０はストライク本体３１ｃの係止面３１ｇにラッチボルト３０が当接して、ラッチボルト３０が係止された状態、すなわち戸体３の開きを阻む状態にある。
【００３８】
図１２（Ｂ）に示すように、戸体３が開いた状態から、矢印７０に示すように閉じる方向に回動する際には、ストライク本体３１ｃがストライクケース３１ａ内に設けられたストッパ３１ｅに当接した状態である。そしてストライク本体３１ｃの弧状面３１ｈがラッチボルト３０の傾斜面３０ｂに当接し、さらに戸体３が閉じると、ラッチボルト３０はスプリング３７の力に抗して矢印７１に示すように袖４内に没入する。その後、ストライク本体３１ｃがラッチボルト３０を超えると、図１２（Ａ）に示すように、スプリング３１ｄの力により、ストライク本体３１ｃが開口部３１ｆから突出する方向に復帰し、ストライク本体３１ｃがラッチボルト３０を係止する状態となる。
【００３９】
デッドボルト１０及び２０がそれぞれデッドストライク１１及び２１から離脱した解錠状態にあって、図１２（Ａ）に示すように、ラッチボルト３０がラッチ状態にあるときに、戸体３を開く際の動作は次の通りである。図１２（Ａ）に示すように、ストライク本体３１ｃがラッチボルト３０を係止した状態から、図１２（Ｃ）に矢印７２で示すように、戸体３にこれを開く方向の力を加えると、ストライク本体３１ｃは矢印７３で示すように回動する。すなわち、ストライク本体３１ｃは、ラッチボルト３０から受ける反力により、スプリング３１ｄの力に抗して矢印７３で示すように回動する。これにより、図１２（Ｄ）に示すように、ストライク本体３１ｃはラッチボルト３０から外れ、戸体３を開くことができる。ストライク本体３１ｃは、ラッチボルト３０から外れた後、スプリング３１ｄの力により、矢印７４に示すように回動してストッパ３１ｅに当接する原位置に復帰する。
【００４０】
このように、本実施形態におけるドアは、デッドボルト１０及びデッドボルト２０を連動する伝達機構と、ラッチストライク本体３１が変位してラッチを解除して戸体３を開くことができる構成としたため、戸体３のロック状態から戸体３を開く際には、サムターン５７によるロック解除を行なう操作と、戸体を押す（又は引く）操作という２段階操作ですみ、開き操作が簡単となる。また、ロック機構部６及び７によるロックを解除する操作以外に、ラッチ解除のための操作が不要となり、ラッチ解除専用のハンドルや操作レバーが不要となるため、デザインの自由度が上がり、ドアのノイズレスデザインの実現が容易となる。また、人が手によって持つハンドル等の部品又は部分を戸体に設ける場合であっても、ラッチ錠ケース位置によって制約されずに配置できるため、様々な位置及び形状の部品又は部分を設けることが可能となり、戸体のデザインの自由度を向上させることができる。
【００４１】
また、本実施形態においては、ロック機構部６及び７の各デッドボルト１０及び２０とラッチ機構部８を動かす力を伝達させるための伝達機構、すなわち第２の伝達部材１６及び２６、並びにピニオン５５と第１の伝達部材１４及び２４を備えている。さらにロック機構部６及び７の施錠及び解錠とラッチ機構部８とを連動させる伝達機構、すなわちセンター軸５４とラッチボルト３０とを連動させるレバー５８を含む伝達機構を備えている。このため、複数のデッドボルト１０及び２０、並びにラッチボルト３０を操作するための共通の操作部を備えることとなる。このため、１つの操作力でデッドボルト１０及び２０並びにラッチボルト３０を操作することができ、操作が容易となる。
【００４２】
図１４はデッドボルト１０及び２０とラッチボルト３０による係止状態の各段階における位置関係を示す図である。図１４（Ａ）はラッチ機構部８のラッチボルト３０がラッチストライク３１によって係止された状態であり、かつロック機構部６及び７のデッドボルト１０及び２０がそれぞれデッドストライク１１及び２１に係止された状態となる第１の位置である。この第1の位置は、図１３にＳ１で示すように、鍵孔５１ａの位置が反時計回り方向に最大限に回されることにより、センター軸５４が反時計回りに最大限に回された時の各機構部６、７及び８の構成部材の位置である。
【００４３】
図１３は本実施形態のシリンダユニットのセンター軸操作用の鍵孔５１ａの操作位置を示す図である。この図１３に示すとおり、鍵孔の操作位置として第１の操作位置Ｓ１、第二の操作位置Ｓ２及び第３の操作位置Ｓ３が設定されている。
【００４４】
図１４（Ｂ）はラッチ機構部８のラッチボルト３０がラッチストライク３１により係止された状態であり、かつロック機構部６及び７のデッドボルト１０及び２０がそれぞれデッドストライク１１及び２１に非係止状態となる第２の位置である。これは図１３にＳ２で示すように、鍵孔５１ａが第１の位置Ｓ１に示すように、第１の位置から時計回りに操作され、センター軸５４が時計回りに操作された位置である。
【００４５】
図１４（Ｃ）はラッチ機構部８のラッチボルト３０がラッチストライク３１による係止が解かれた状態であり、かつロック機構部６及び７のデッドボルト１０及び２０がそれぞれデッドストライク１１及び２１に非係止状態となる第３の位置である。これは図１３にＳ３で示すように、鍵孔５１ａの位置が時計回りに最大限に操作され、これによりセンター軸５４が時計回りに最大限の操作された位置である。このような第１ないし第３の位置の変更は、鍵５３又はサムターン５７の操作により行なわれる。
【００４６】
このように、本実施形態においては、ラッチストライク３１のストライク本体３１ｃを可動とし、ラッチ解錠のための操作をしなくてもラッチ解除が可能としながらも、サムターン５７の操作位置として、図１４（Ｃ）に示すように、第３の位置、すなわちストライク本体３１ｃの位置に係わらず、ラッチ解除が可能な位置を設けている。このため、スプリング３１ｄの不具合等によってストライク本体３１ｃが変位しなくなった場合であっても、ラッチを解除することができる。すなわち、ストライク本体３１ｃがラッチボルト３０に係止する位置で動かない状態になったとしても、ラッチボルト３０をストライク本体３１ｃと係合しない位置に退避させることができる。
【００４７】
なお、鍵孔５１ａの操作位置Ｓ１，Ｓ２及びＳ３については、操作位置Ｓ１及び操作位置Ｓ２の間に、更に第４の操作位置を設けて、その第４の操作位置でなければ、鍵が抜けない構造としてもよい。
【００４８】
＜第２の実施形態＞
図１５は本発明の第２の実施形態を示す建具であり、ロック機構部６及び７とラッチ機構部８とを、枠体２を構成する戸先側縦枠２ｘに設けたものである。この実施形態においても、ロック機構部６及び７の各デッドボルト１０及び２０として第１の実施形態と同様の構造のものを用いることができる。また、ラッチ機構部８としてもシリンダユニット５０を有する第１の実施形態と同様の構造のものを用いることができる。さらに、ピニオン５５や第１の伝達部材１４及び２４、並びに第２の伝達部材１６及び２６等からなる伝達機構にも同様の構造のものを用いることができる。
【００４９】
＜第３の実施形態＞
図１６は本発明の第３の実施形態を示す建具であり、ロック機構部６ｘ及び７ｘとラッチ機構部８ｘとを駆動ユニット８２に備えた電動モータ８７により駆動可能としたものである。この例においては、ロック機構部６ｘ及び７ｘ間、あるいはさらにこれらのロック機構部６ｘ及び７ｘとラッチ機構部８ｘへの動力を伝達させるバー等の伝達部材８６を備える。また、伝達部材８６にはラック８６ａを備え、ラック８６ａに噛合するピニオン８８を電動モータ８７により駆動する構成を有する。
【００５０】
電動モータ８７からバーへの力の伝達手段は、図示のものに限らず、例えば、その電動モータ８７の出力軸にピニオン８８を取り付けたものや、電動モータ８７の側に減速装置を有し、減速装置の出力軸にピニオン８８を取り付けたものを用いることができる。さらに、電動モータ８７の減速装置の出力軸に設けたピニオン（不図示）を図示のピニオン８８に噛合させたもの等を用いてもよい。
【００５１】
電動モータ８７は配線８４により接続される制御ユニット８３により動作が制御される。制御ユニット８３は、例えばカード読み込みにより、電動モータ８７に駆動、停止を指令する信号を与えて、ロック機構部６ｘと７ｘとを、ラッチ機構部８ｘと共に連動させた施錠、解錠を行なうものである。
【００５２】
ロック機構部６ｘ及び７ｘには第１の実施形態で示したロック機構部６及び７と基本構造が同じものを用いることができる。すなわちデッドボルト１０ｘ及び２０ｘは連動し、ラッチボルト３０ｘも連動する。デッドストライク１１ｘ及び２１ｘも第１の実施形態のデッドストライク１１及び２１と同様の構造のものを用いることができる。また、ラッチストライク３１ｘにも図１２に示したスプリング３１ｄ等により係止側への力が加えられたストライク本体３１ｃを用いることができる。この例では電動モータ８７を含む駆動ユニット８２を袖４に設けているが、図１５に示したように戸先側縦枠２ｘに設けてもよい。
【００５３】
本発明を実施する場合、デッドボルト１０（１０ｘ）及び２０（２０ｘ）、並びにラッチボルト３０（３０ｘ）は戸体３側に設け、デッドストライク１１（１１ｘ）及び２１（２１ｘ）、並びにラッチストライク３１（３１ｘ）を袖４または戸先側縦枠２ｘに設けてもよい。
【００５４】
しかしながら、上記各実施形態においては、デッドボルト１０（１０ｘ）及び２０（２０ｘ）、並びにラッチボルト３０（３０ｘ）は戸先側縦枠２ｘまたは袖４側に設け、デッドストライク１１（１１ｘ）及び２１（２１ｘ）、並びにラッチストライク３１（３１ｘ）を戸体３側に設けている。
【００５５】
このように、各デッドボルト１０（１０ｘ）及び２０（２０ｘ）、並びにラッチボルト３０（３０ｘ）を戸先側縦枠２ｘまたは袖４に設ければ、戸体３に電気配線を設けることが不要となる。このため、枠体２と戸体３との電気的接続を行なうための部品点数が抑えられ、製造コストを抑えることができる。即ち、戸体３はヒンジ５を介して動く部材であるため、その戸体３の内部に電気配線を施そうとすると、ヒンジ５を通電可能な部品とするか、戸体５に非接触型充電機器を備える必要があるが、本実施の形態においては、そのような部品が不要となる。また、電動モータ８７を使用する場合であっても、戸体３には電動モータを設けないため、電動モータ使用の建具と非使用の建具の間で戸体のパーツの共用が可能となり、製造コストを抑えることが可能になる。
【００５６】
また、各デッドボルト１０（１０ｘ）及び２０（２０ｘ）、並びにラッチボルト３０（３０ｘ）を袖４側に設けることにより、建具をバージョンアップやグレードアップする場合に、枠体２を交換せずに、袖４及び戸体３だけを交換することが可能になるため、それらの導入コストを抑えることが可能になる。
【００５７】
また、図１６に示すように、電動モータ８７を、サムターン５７等の操作部に代えて、または操作部に加えて備えれば、１箇所の電動モータ８７で複数のロック機構を動かすことができ、部品点数を省略することができる。また、複数の電動モータを用いるよりも配線を簡素化し、製造時の工数を減らすことができる。
【００５８】
以上本発明を実施形態により説明したが、本発明を実施する場合、ロック機構部を３箇所にする等の変更を行なうことができる。また、ロック機構部６及び７並びにラッチ機構部８を駆動する構造としては、リンク式、カム式等、他の動力伝達機構を用いることができる。その他、本発明の具体的実施に当たっては、上記説明に限られず、種々の変更、付加が可能である。
【符号の説明】
【００５９】
１：建具
２：枠体
３：戸体
４：袖
６、６ｘ、７、７ｘ：ロック機構部
８、８ｘ：ラッチ機構部
１０、２０：デッドボルト
１１、２１、３１：ストライク
１２、２２：デッド錠ケース
１４、２４：第１の伝達部材（伝達部材）
１６、２６：第２の伝達部材（伝達部材）
３０：ラッチボルト
３１ｃ:ストライク本体（受け部材）
３１ｄ：スプリング
３２：ラッチ錠ケース
５０：シリンダユニット
５３：鍵
５４：センター軸
８７：電動モータ
【図１】
2020012261.tif 000003
【図２】
2020012261.tif 000004
【図３】
2020012261.tif 000005
【図４】
2020012261.tif 000006
【図５】
2020012261.tif 000007
【図６】
2020012261.tif 000008
【図７】
2020012261.tif 000009
【図８】
2020012261.tif 000010
【図９】
2020012261.tif 000011
【図１０】
2020012261.tif 000012
【図１１】
2020012261.tif 000013
【図１３】
2020012261.tif 000014
【図１２】
2020012261.tif 000015
【図１４】
2020012261.tif 000016
【図１５】
2020012261.tif 000017
【図１６】
2020012261.tif 000018